(57)【特許請求の範囲】
【請求項１】
情報を出力する出力ソースから出力された情報を複数個のデータ圧縮率の中から選択されたデータ圧縮率で記録ソースに記録自在となっている録再装置において、
前記出力ソースから出力された情報を前記記録ソースに記録している期間（以下、「期間Ａ」と言う。）、
前記出力ソースを模した絵図を第１の表示として表示する第１の表示部と、
前記記録ソースを模した絵図であって前記記録ソースにおいて実行中のデータ圧縮率に対応する絵図を第２の表示として表示する第２の表示部と、
を備え、
前記第２の表示とは、絵図の寸法を前記記録ソースにおいて実行中のデータ圧縮率に対応させた表示であることを特徴とする録再装置。
【請求項２】
情報を出力する出力ソースから出力された情報を複数個のデータ圧縮率の中から選択されたデータ圧縮率で記録ソースに記録自在となっている録再装置において、
前記出力ソースから出力された情報を前記記録ソースに記録している期間（以下、「期間Ａ」と言う。）、
前記出力ソースを模した絵図を第１の表示として表示する第１の表示部と、
前記記録ソースを模した絵図であって前記記録ソースにおいて実行中のデータ圧縮率に対応する絵図を第２の表示として表示する第２の表示部と、
を備え、
前記第２の表示とは、標準寸法の絵図と前記選択された記録ソースにおいて実行中のデータ圧縮率に対応させた寸法の絵図とを時間的に交互に表示するものであることを特徴とする録再装置。
【請求項３】
前記第１の表示部と、前記第２の表示部と、出力ソースを選択する出力ソース選択手段と、記録ソースを選択する記録ソース選択手段とは、装置本体の同一の操作パネル面内に配設されていることを特徴とする請求項１又は２記載の録再装置。
【請求項４】
複数個の記録モードの中から選択された記録モードで情報を記録された記録ソースについてその記録時の記録モードに対応した再生を行う再生装置において、
前記記録ソースの再生期間、
前記記録ソースを模した複数個の絵図を動画形態で表示するものであって動画サイクルの最初の絵図は再生中の情報が該記録ソースに記録されている記録モードに対応する絵図となっている第３の表示を表示する表示部を備え、
前記記録ソースは録再自在の光ディスクとされ、
前記記録ソースに対応した記録ソース表示はディスク形状を含み、
前記第３の表示は、前記ディスク形状を周方向へ等分割の複数個の等分割部分に分け、各等分割部分は第１又は第２の色とされ、第１及び第２の色による前記ディスク形状の最初の色分け状態から、時間経過とともに第１の色部分の占める等分割部分が第２の色部分の占める等分割部分に周方向へ１個ずつ置き換わっていき、最後の色分け状態では、前記ディスク形状の全部の等分割部分の全部が第１の色となり、かつ最初の色分け状態から最後の色分け状態までを１サイクルとして色分け状態をサイクリックに繰り返すものであり、さらに、最初の色分け状態が記録モードとしてのデータ圧縮率に対応するものとされていることを特徴とする再生装置。
【発明の詳細な説明】
【０００１】
【発明の属する技術分野】
本発明は、例えばＣＤ（コンパクトディスク）及びＭＤ（ミニディスク）等の種々のソースについて再生及び記録処理自在の録再装置及び再生装置に係り、詳しくは記録中及び再生中の表示を改善した録再装置及び再生装置に関するものである。
【０００２】
【従来の技術】
ＭＤでは、オーディオを記録する規格として、ＡＴＲＡＣが採用されている。ＡＴＲＡＣには、記録モードとして、ＡＴＲＡＣ  Ｓｔｅｒｅｏ、ＡＴＲＡＣ  Ｍｏｎｏ、ＡＴＲＡＣ３  ＬＰ２  Ｓｔｅｒｅｏ、及びＡＴＲＡＣ３  ＬＰ４  Ｓｔｅｒｅｏがある。ＡＴＲＡＣ  Ｓｔｅｒｅｏ及びＡＴＲＡＣ  Ｍｏｎｏのデータ圧縮率を標準のデータ圧縮率にすると、ＡＴＲＡＣ３  ＬＰ２  Ｓｔｅｒｅｏのデータ圧縮率は標準の２倍、ＡＴＲＡＣ３  ＬＰ４  Ｓｔｅｒｅｏのデータ圧縮率は標準の４倍となる。
【０００３】
【発明が解決しようとする課題】
従来のＭＤ録再機では、ＭＤへのオーディオの記録中、ＭＤへのオーディオの記録がどのデータ圧縮率によって行われているかの情報がユーザに提示されていない。したがって、ユーザは、現在、どのデータ圧縮率で記録が行われているかが分からず、不便となっている。例えば、ＡＴＲＡＣでは、データ圧縮率が高いものほど、音質は低下する傾向があるので、ユーザは、データ圧縮率を知らずにオーディオをＭＤに記録したとき、後の再生時に初めて、音質、又は１個のＭＤに記録できるオーディオの最大記録時間が自分の考えていたものとは違うことに気付き、後悔することが起きる。
【０００４】
また、ＭＤに記録されたオーディオの再生中、従来のＭＤ録再機では、該オーディオがどの記録モードで記録されたものを再生しているかの情報は、ディスプレイに文字表示されるか、発光ダイオード等から成る固定セグメントの点灯により提示されるかされている従来技術が存在するが、従来技術では、表示面積の増大及び固定セグメントの配置スペースの増大を必要とし、小型化に不利である。
【０００５】
本発明の目的は、実行中のデータ圧縮率をユーザに迅速に分からせることのできる録再装置を提供することである。
本発明の他の目的は、表示面積の増大及び固定セグメントの配置スペースの増大を伴うことなく、再生中の記録ソースがどの記録モードにより記録された情報に係るものかをユーザに表示できる再生装置を提供することである。
【０００６】
【課題を解決するための手段】
第１の発明の録再装置は、出力ソースから出力された情報を複数個のデータ圧縮率の中から選択されたデータ圧縮率で記録ソースに記録自在になっている。この録再装置は、さらに、記録ソースが選択された場合に該記録ソースに対応した記録ソース表示を行う表示部を備え、出力ソースから出力された情報を記録ソースに記録している期間、表示部は、表示を記録ソースにおいて実行中のデータ圧縮率に対応して変化させる。
【０００７】
情報には、オーディオ情報及びビジュアル情報の両方の場合だけでなく、オーディオ情報のみの場合、及びビジュアル情報のみの場合も含むものとする。出力ソースには、例えば、チューナ、ＣＤ（コンパクトディスク）、ＭＤ（ミニディスク）、カセットテープ、ＤＶＤ（ディジタルビデオディスク）等が含まれる。記録ソースには、例えば、ＭＤ、カセットテープ、ＣＤ−Ｒ、及びＣＤ−ＲＷ等が含まれる。なお、ＭＤのように、同一のソースが、或る時には出力ソースに、また、別の或る時には記録ソースにもなることがある。さらに、同種のソースを複数個、装填し、その同種ソースにおいて第１のものは再生とし、第２のものは記録とするようにしている録再装置では、同種のソースが出力ソース及び記録ソースとして選択されることもある。データ圧縮率には例えばＭＤのＡＴＲＡＣでは標準の２倍圧縮及び４倍圧縮がある。
【０００８】
第１の発明において、ユーザは、表示部における選択記録ソースに対応の表示を見て、現在実行中のデータ圧縮率を速やかに知ることができる。なお、第１の発明では、出力ソースの表示は任意であり、出力ソースを表示しない録再装置も第１の発明に含まれる。
【０００９】
第２の発明の録再装置は、出力ソースから出力された情報を複数個のデータ圧縮率の中から選択されたデータ圧縮率で記録ソースに記録自在になっている。この録再装置は、さらに、出力ソースが選択された場合に該出力ソースに対応した第１の表示を行う第１の表示部と、記録ソースが選択された場合に該記録ソースに対応した第２の表示を行う第２の表示部と、を備えている。そして、出力ソースから出力された情報を記録ソースに記録している期間（以下、「期間Ａ」と言う。）、第２の表示部は、第２の表示を記録ソースにおいて実行中のデータ圧縮率に対応して変化させる。
【００１０】
ユーザにより選択された出力ソースに対応した表示及び記録ソースに対応した表示について、ユーザが、どちらの表示が出力ソース及び記録ソースであるかを見分けられるようにするためには、例えば次の（ａ）及び（ｂ）がある。
（ａ）第１及び第２の表示を同一のディスプレイ内の異なる特定の場所にそれぞれ設定し、ディスプレイにおける表示場所で区別する方式。例：第１及び第２の表示を、同一ディスプレイ内においてそれぞれ左側及び右側に配置したり、それぞれ上側及び下側に配置したりする。
（ｂ）ディスプレイにおいて第１の表示から第２の表示へ向かって矢印を表示し、矢元が出力ソースに対応する第１の表示であり、矢先が第２の表示に対応する第２の表示であるようにする。
【００１１】
第２の発明では、ユーザは、データ圧縮率に対応する表示となっている第２の表示を見ることにより、記録ソースへの現在の記録のデータ圧縮率を知ることができ、的確に対処することができる。
【００１２】
第３の発明の録再装置によれば、第２の発明の録再装置において、出力ソースは情報を再生するものであり、期間Ａでは、第１の表示部による第１の表示は、出力ソースで実行中の再生速度に対応して変化する。
【００１３】
出力ソースにおける再生速度は必ずしも記録ソースにおける記録速度に一致していなくてもよい。例えば、出力ソースが再生した再生信号を、直接、記録ソースに記録せず、一旦、半導体メモリ等に書き込んでから、それを読み出して、記録ソースに記録するようにすれば、出力ソースにおける再生速度と記録ソースにおける記録速度とが相違していても、出力ソースから記録ソースへの情報の記録は可能である。しかし、その場合、出力ソースにおける再生速度及び記録ソースにおける記録速度の速い方が、遅い方に合わせるために、適宜、処理休止状態になる。
【００１４】
第３の発明により、ユーザは、第１の表示を見て、現在実行中の再生速度を知ることができる。
【００１５】
第４の発明の録再装置によれば、第３の発明の録再装置において、第１及び第２の表示部に、ぞれぞれ第１及び第２の所定点から第１及び第２の距離内に含まれる第１及び第２の領域が設定され、第１及び第２の表示の変化する範囲はそれぞれ第１及び第２の領域内に限定されている。
【００１６】
第１及び第２の表示が、その表示場所を時々刻々変化することがある。第１及び第２の表示は、表示場所を変化させても、表示場所の変化範囲はそれぞれ第１及び第２の領域内に限定されるので、第１及び第２の表示部の面積を節約できる。
【００１７】
第５の発明の録再装置は、第４の発明の録再装置において、出力ソース及び記録ソースはそれぞれ複数個、存在する。各出力ソースに対応して出力ソース表示がそれぞれ定められ、各記録ソースに対応して記録ソース表示がそれぞれ定められ、複数個の出力ソース及び記録ソースの中から選択された１個の出力ソース及び１個の記録ソースに対応の表示を第１及び第２の表示部に行う場合にも、該表示の変化する範囲はそれぞれ第１及び第２の領域内と限定されている。
【００１８】
録再装置が複数個の出力ソース及び複数個の記録ソースを備えている場合に、出力ソース及び記録ソースの任意の組合わせに対して、それらの表示場所の変化範囲はそれぞれ第１及び第２の領域内に限定される。こうして、第１及び第２の表示部の面積を節約できる。
【００１９】
第６の発明の録再装置によれば、第５の発明の録再装置において、複数個の記録ソースの中から選択された１個の記録ソースに対応の表示は該記録ソースで実行中のデータ圧縮率に対応して変化する。
【００２０】
こうして任意の記録ソースが選択されても、選択された記録ソースについての第２の表示は、該記録ソースにおいて実行中のデータ圧縮率に対応して変化するので、ユーザは該表示からデータ圧縮率を円滑に認識できる。
【００２１】
第７の発明の録再装置によれば、第２〜第６のいずれかの発明の録再装置において、表示は、絵図及び／又は動画形態の絵図である。
【００２２】
動画形態の絵図には、輪郭が変化したり、輪郭が移動したり、輪郭を構成する画素が色変化したり、点滅したりするものが含まれる。
【００２３】
表示が絵図及び／又は動画形態の絵図とされることにより、ユーザは、現在の記録におけるデータ圧縮率を直感的に把握できる。
【００２４】
第８の発明の録再装置によれば、第７の発明の録再装置において、絵図の動画形態は、絵図の形状を保持しつつ色の変化及び／又は絵図を構成する少なくとも一部画素の点滅である。
【００２５】
絵図の色変化及び画素点滅による動画形態は、絵図の移動を伴わない動画表現となるので、動画絵図の表示に必要な面積を節約できる。
【００２６】
第９の発明の録再装置によれば、第２〜第８のいずれかの発明の録再装置において、選択された記録ソースにおいて実行中のデータ圧縮率に対応する第２の表示とは、絵図の寸法を記録ソースにおいて実行中のデータ圧縮率に対応させた表示である。
【００２７】
好ましくは、標準のデータ圧縮率のときのデータ圧縮率に対応する絵図寸法は標準寸法とし、データ圧縮率が標準のデータ圧縮率より大きいときには、データ圧縮率に対応する絵図寸法を減少させる。
【００２８】
ユーザは、記録ソースに対応する絵図の寸法より記録ソースにおける記録データのデータ圧縮率の大きさを知ることができ、データ圧縮率を直感的に把握し易くなる。
【００２９】
第１０の発明の録再装置によれば、第２〜第９のいずれかの発明の録再装置において、選択された記録ソースにおいて実行中のデータ圧縮率に対応する第２の表示とは、標準寸法の絵図と選択された記録ソースにおいて実行中のデータ圧縮率に対応させた寸法の絵図とを時間的に交互に表示するものである。
【００３０】
標準のデータ圧縮率のときのデータ圧縮率に対応する絵図寸法は標準寸法とした場合には、データ圧縮率が標準のデータ圧縮率であるときは、絵図寸法は標準寸法のままとなり、現在実施中のデータ圧縮率が標準のデータ圧縮率であることが分かり易くなる。データ圧縮率に対応する絵図寸法が小さいと、第２の表示部から少し離れた場合には、見え難いこともある。しかし、標準寸法の絵図との時間的な交互の表示により、標準のデータ圧縮率とは異なるデータ圧縮率が行われていることはユーザに明確に分かるので、小寸法の絵図に対しては多少の見え難さがあっても、標準とは別のデータ圧縮率で記録が行われていることを正確に把握できる。
【００３１】
第１１の発明の録再装置によれば、第９又は第１０の発明の録再装置において、第１の表示部と、第２の表示部と、出力ソースを選択する出力ソース選択手段と、記録ソースを選択する記録ソース選択手段とは、装置本体の同一の操作パネル面内に配設されている。
【００３２】
例えば、出力ソースや記録ソースを選択する操作については、ソース選択の操作の際に手元を確認しながら、選択したソースが何であったかその操作結果をユーザは視点をさほど動かすことなく確認でき、ユーザにとって操作確認が容易になる。
【００３３】
第１２の発明の録再装置によれば、第２〜第１１のいずれかの発明の録再装置において、第１の表示部と第２の表示部とは、１個の表示面内の異なる領域を占めて、設けられている。
【００３４】
例えば、１個の表示面内において、出力ソースに対応した表示と記録ソースに対応した表示とを隣り合わせて表示すれば、ユーザは、出力ソースがどのソースで、記録ソースがどのソースであるかを容易に見分けることができる。
【００３５】
第１３の発明の録再装置は、情報を出力する出力ソースから出力された情報を複数個の記録モードの中から選択された記録モードで記録ソースに記録自在となっている。そして、前記記録ソースが選択された場合に該記録ソースに対応した記録ソース表示を行う表示部を備え、前記出力ソースから出力された情報を前記記録ソースに記録している期間、前記表示部は、前記表示を、前記記録ソースにおいて実行中の記録モードに対応したものとする。
【００３６】
データ圧縮率は記録モードの概念に含まれる。記録ソースがＭＤである場合、ＭＤの記録モードとして、例えば、ＡＴＲＡＣ  Ｓｔｅｒｅｏ、ＡＴＲＡＣ  Ｍｏｎｏ、ＡＴＲＡＣ３  ＬＰ２  Ｓｔｅｒｅｏ、及びＡＴＲＡＣ３  ＬＰ４  Ｓｔｅｒｅｏがある。ＡＴＲＡＣ  Ｓｔｅｒｅｏ、ＡＴＲＡＣ３  ＬＰ２  Ｓｔｅｒｅｏ、及びＡＴＲＡＣ３  ＬＰ４  Ｓｔｅｒｅｏはデータ圧縮率に関する記録モードでもある。
【００３７】
ユーザは、表示部における記録ソースの対応表示から記録ソースへの現在実施中の記録処理がどのような記録モードが行われているかを認知できる。また、ユーザへ記録モードを表示するに当たり、記録ソースの対応表示とは別に用意する文字表示や発光ダイオード等の固定セグメントを省略できるので、記録モード表示用のスペースを低減できる。
【００３８】
第１４の発明の再生装置は、複数個の記録モードの中から選択された記録モードで情報を記録された記録ソースについてその記録時の記録モードに対応した再生を行う。そして、該再生装置は、記録ソースの再生期間に再生関連時間情報の数値表示における分と秒とを区切る記号を、再生中の情報が該記録ソースに記録されている記録モードに対応したものとする表示部を備えている。
【００３９】
再生関連時間情報とは、例えば、再生時間、再生残り時間、全体の再生時間、全体の再生残り時間である。再生単位は、記録ソースがオーディオ用光ディスクである場合には、トラックであり、記録ソースがビデオ用光ディスクである場合には、例えば再生中のチャプター（Ｃｈａｐｔｅｒ：章）となる。再生時間とは、現在再生中のトラック又はチャプターの再生開始時刻から現時刻までの経過時間であり、再生残り時間とは、現時刻から現在再生中のトラック又はチャプターの再生終了まで時間であり、全体の再生時間とは、今回の再生が１個又は複数個のトラック又はチャプターについて継続的な再生が行われている場合の再生開始時刻から現時刻までの経過時間であり、全体の再生残り時間とは、現時刻から現在再生中のディスクの最後のトラック又はチャプターの再生が終了する時刻までの時間である。記録ソースがＭＤでありかつ記録モードがＡＴＲＡＣ  Ｓｔｅｒｅｏ、ＡＴＲＡＣ  Ｍｏｎｏ、ＡＴＲＡＣ３  ＬＰ２  Ｓｔｅｒｅｏ、及びＡＴＲＡＣ３  ＬＰ４  Ｓｔｅｒｅｏである場合には、ＭＤの再生期間に再生関連時間情報の数値表示における分と秒とを区切る記号として、例えば、ＡＴＲＡＣ  Ｓｔｅｒｅｏでは”：”、ＡＴＲＡＣ  Ｍｏｎｏでは”・”、ＡＴＲＡＣ３  ＬＰ２  Ｓｔｅｒｅｏでは”−”、及びＡＴＲＡＣ３  ＬＰ４  Ｓｔｅｒｅｏでは”＝”を採用してもよい。
【００４０】
ユーザは、記録ソースの再生期間に表示部における再生時間の数値表示における分と秒とを区切る記号から、再生中の記録ソースについてどの記録モードにより記録された情報を再生しているものなのかを認知できる。また、該情報をユーザへ表示させるに当たり、再生時間表示とは別に用意する文字表示や発光ダイオード等の固定セグメントを省略できるので、記録モード情報表示用のスペースを低減できる。
【００４１】
第１５の発明の再生装置は、複数個の記録モードの中から選択された記録モードで情報を記録された記録ソースについてその記録時の記録モードに対応した再生を行う。該再生装置は、再生のために選択された記録ソースに対応した記録ソース表示を行う表示部を備え、前記表示部は、記録ソースの再生期間、記録ソース表示を、再生中の情報が該記録ソースに記録されている記録モードに対応したもの（以下、「第３の表示」と言う。）とする。
【００４２】
第１５の発明において、第３の表示は、動画形態の絵図及び静止画形態の絵図のいずれであってもよいとする。
【００４３】
ユーザは、記録ソースの再生期間に表示部における記録ソース表示から、再生中の記録ソースをどの記録モードにより再生しているかを認知できる。また、再生中の記録ソースをどの記録モードにより再生しているかをユーザへ認知させるに当たり、記録ソース表示とは別に用意する文字表示や発光ダイオード等の固定セグメントを省略できるので、記録モード表示用のスペースを低減できる。
【００４４】
第１６の発明の再生装置によれば、第１５の発明の再生装置において、第３の表示とは、それが対応付けられている記録モードを模様により識別する表示である。
【００４５】
模様による記録モードの識別は、第３の表示の表示面積を増大することなく実施可能であるので、記録モード表示用のスペースを低減できる。なお、記録モードを識別する模様は、静止形態の模様、すなわち時間的に変化しない模様だけでなく、動画形態の模様、すなわち時間的に変化する模様も含むものとする。
【００４６】
第１７の発明の再生装置によれば、第１５の発明の再生装置において、第３の表示とは、それが対応付けられている記録モードを動画形態により識別する表示である。
【００４７】
動画形態により記録モードを相互に識別する第３の表示には、同一の模様変化を、変化速度を異ならせて、記録モードを相互に識別するものが含まれるものとする。
【００４８】
第１８の発明の再生装置によれば、第１７の発明の再生装置において、記録ソースは録再自在の光ディスクとされ、記録ソースに対応した記録ソース表示はディスク形状を含む。そして、前記動画形態の第３の表示は、前記ディスク形状を周方向へ等分割の複数個の等分割部分に分け、各等分割部分は第１又は第２の色とされ、第１及び第２の色による前記ディスク形状の最初の色分け状態から、時間経過とともに第１の色部分の占める等分割部分が第２の色部分の占める等分割部分に周方向へ１個ずつ置き換わっていき、最後の色分け状態では、前記ディスク形状の全部の等分割部分の全部が第１の色となり、かつ最初の色分け状態から最後の色分け状態までを１サイクルとして色分け状態をサイクリックに繰り返すものであり、さらに、最初の色分け状態が記録モードとしてのデータ圧縮率に対応するものとされている。
【００４９】
光ディスクには、ＣＤ−Ｒ、ＣＤ−ＲＷ、ＭＤ、及び録再自在のＤＶＤ等が含まれる。表示部は、カラー型だけでなく、モノクロ型ディスプレイも含み、表示部がモノクロ型のものである場合は、第１及び第２の色はそれぞれ黒及び白の一方及び他方となる。
【００５０】
記録ソースがＭＤである場合、最初の色分け状態は、例えば、データ圧縮率が２であるＡＴＲＡＣ３  ＬＰ２  Ｓｔｅｒｅｏでは、ディスクの半分が第１の色により占められ、これにより、データが標準の１／２となっていることがユーザに直感され、ＡＴＲＡＣ３  ＬＰ４では、ディスクの１／４が第１の色により占められ、これにより、データが標準の１／４になっていることがユーザに直感される。
【００５１】
【発明の実施の形態】
以下、発明の実施の形態について図面を参照して説明する。
図１はオーディオ装置本体１０の正面図である。オーディオ装置本体１０は、図示していない左右のスピーカと共に１個のオーディオシステムを構成する。オーディオ装置本体１０には、アンプ部、チューナ部、ＣＤプレーヤ部、及びＭＤ録再部が一体化されており、オーディオ装置本体１０の正面側は操作パネル１１となって、パワースイッチ１２等の操作部材が配備されている。なお、オーディオ装置本体１０には、テープ録再部を追加したり、ＭＤ録再部をテープ録再部に置き換えたり、種々のバリエーションがある。ユーザからのオーディオ装置本体１０への各種指示は、操作パネル１１におけるパワースイッチ１２等の操作部材を直接、触れる他に、図示していないリモコンのキーを操作することによっても可能となっている。パワースイッチ１２はパワーの入切を切換え、チューナ選択キー１３、ＣＤ再生・休止キー１４、ＭＤ再生・休止キー１５、及び外部入力選択キー１８は、スピーカから出力するオーディオソースとしてそれぞれチューナ、ＣＤ、ＭＤ、及び外部入力を選択する際に押し操作される。ＣＤ再生・休止キー１４及びＭＤ再生・休止キー１５は、押されるごとに再生と一時停止とを交互に繰り返すようになっている。録音キー１７は、入力オーディオソースとしてチューナ、ＣＤ、及び外部入力が選択されているときに、押し操作されると、それらのオーディオソースをＭＤへ記録する。音量調整つまみ１９は、回転位置を調整することにより、スピーカからの音量を調整する。ＣＤ用スロット２３は、ＣＤがオーディオ装置本体１０内へ出入りするスロットであり、ＭＤ挿入部２４はオーディオ装置本体１０内へのＭＤの出入り部である。絵図のきめ細かな動画表現の可能な液晶表示部２６は、いわゆるフルドット表示が可能であり、この１個の表示面内に後述の絵図を始めとする各種情報が表示されるようになっている。
【００５２】
図２は、オーディオ装置本体１０においてユーザが複数個のオーディオソースの中から出力ソース又は記録ソースを選択して該選択ソースに係るオーディオ機器に対応させて液晶表示部２６に表示する絵図を示している。図２において、各絵図は、左から右へ順に、（ａ）テープ録再部、（ｂ）ＭＤ録再部、（ｃ）ＣＤプレーヤ部、（ｄ）チューナ部、及び（ｅ）外部入力、に対応している。
【００５３】
図３はテープ録再部が選択されてカセットテープを再生又は録音しているときの一連のこまを表示順に左から右へ並べて示している。ユーザがテープ録再部を選択した場合、図２（ａ）のカセットテープの絵図が液晶表示部２６に表示されてテープ録再部が選択されたことが示され、次にテープ録再部の動作中は、カセットテープの絵図は、例えば計４個のこまを所定時間間隔でかつサイクリック（最右端のこまの次は最左端のこまに戻る。）に液晶表示部２６に動画表現で表示変化することにより、左右のリールが回転しているように映る（図３参照）。
【００５４】
図４はＭＤ録再部が選択されてＭＤを再生又は録音しているときの一連のこまを表示順に左から右へ並べて示している。ユーザがＭＤ録再部を選択した場合、図２（ｂ）のＭＤの絵図が液晶表示部２６に表示されてＭＤ録再部が選択されたことが示され、次にＭＤ録再部の動作中は、これらＭＤの各絵図は、ディスクの所定方向の直径部が白抜き部（この白抜き部はディスクからの光反射を意味している。）をもち、この白抜き部の回転位置は矢印方向へ左側の絵図から順番に等角度間隔ずつ増大している。ＭＤの絵図は、例えば計８個のこまを所定時間間隔でかつサイクリックに動画表現で液晶表示部２６に表示変化することにより、カートリッジ内のディスクが時計方向へ回転しているように映る。
【００５５】
図５はＣＤプレーヤ部が選択されてＣＤを再生しているときの一連のこまを表示順に左から右へ並べて示している。ユーザがＣＤプレーヤ部を選択した場合、図２（ｃ）のＣＤの絵図が液晶表示部２６に表示されてＣＤプレーヤ部が選択されたことが示され、次にＣＤプレーヤ部の動作中は、これらＣＤの各絵図は、ディスクの所定方向の直径部が白抜き部（この白抜き部はディスクからの光反射を意味している。）をもち、この白抜き部が矢印方向へ左側の絵図から順番に等角度間隔ずつ増大している。ＣＤの絵図は、例えば計８個のこまを所定時間間隔でかつサイクリックに液晶表示部２６に動画表現で表示変化することにより、ディスクが時計方向へ回転しているように映る（図５参照）。
【００５６】
図６はチューナ部に関する絵図を示している。図６の左側の絵図（電波無しのラジオ塔のみの絵図）は、ユーザがチューナを選択したときに、液晶表示部２６に表示されるものであり、図６の右側の絵図（電波有りのラジオ塔のみの絵図）は、ユーザがチューナを選択していて、所定の放送に同調したときに、液晶表示部２６に表示されるものである。
【００５７】
図７は再生ソースとしてＣＤプレーヤ部が選択されていて、一時休止（ポーズ）されているときに液晶表示部２６に表示される絵図を示している。ＣＤプレーヤ部の休止状態では、図７の左側のこま（直径方向の白抜き部無し）と右側のこま（直径方向の白抜き部有り）とが所定時間間隔で交互に繰り返されて液晶表示部２６に表示されるようになっている。なお、ＭＤを再生中に一時休止したときの動画絵図は、図示を省略しているが、図７のＣＤと同じように処理する。すなわち、図２の左から２番目の絵図のこまと共に、その白抜き部を黒色で塗り潰した絵図のこまを用意し、それらを所定時間間隔で交互に表示するようにする。
【００５８】
図８はラジオ放送をＭＤへ録音する場合の液晶表示部２６の表示内容を示している。ユーザが出力側ソースとしてチューナを選択すると、液晶表示部２６の左半部には、チューナに対応した図２（ｄ）に示すような絵図が表示され、また記録側ソースとしてＭＤ録再部を選択すると、液晶表示部２６の右半部には、 ＭＤ録再部に対応した図２（ｂ）に示すような絵図が表示される。そしてラジオ放送をＭＤに録音中は、液晶表示部２６において、上端部及び下端部にはそれぞれオーディオソース及び記録ソースの情報が文字及び／又は数値で表示され、上下の端部を除いた上下方向中央範囲で、左半部には同調時のチューナに対応した絵図が表示され、また、右半部には、ＭＤ録再部に対応した絵図が動画表現で変化する。したがって、図８では、液晶表示部２６の左半部には、オーディオソースとして選択されかつ所定のラジオ放送への同調状態（＝所定電界強度以上の電波を受信している状態）を意味する電波付きラジオ塔の絵図が表示され、液晶表示部２６の右半部には記録側ソースとして選択されたＭＤ録再部を表わすＭＤの絵図が図４の動画表現で表示変化する。ユーザは液晶表示部２６の右半部のＭＤの絵図がディスク部を回転させる動画表現になっていることを見て、ＭＤへの記録中であることを視覚的に認識できる。また、図８において、上端部の文字及び数値「ＦＭ  Ｐ０１  ８１．３０ＭＨｚ」は、プリセット番号０１としてプリセットされている周波数８１．３０ＭＨｚのＦＭ放送が選局されていることを示しており、また、２個の絵図の下側の数値「０１０  ６４：５５Ｒ」は、ＭＤにおけるオーディオの記録はトラック１０番になされ、かつ記録可能な残り時間が残り６４分５５秒であることを示している。
【００５９】
図９はＣＤの楽曲をＭＤへ録音しているときの液晶表示部２６の表示内容を示している。なお、この記録は、ユーザがハンディリモコンのＯ．Ｔ．Ｅ．キーをワンタッチ操作することにより実行される。このキーを操作すると、ＣＤの全楽曲がＭＤへ自動的にダビングされる。すなわち、Ｏ．Ｔ．Ｅ．キーの操作により、出力側ソースとしてＣＤプレーヤ部が選択されて、液晶表示部２６の左半部には、ＣＤプレーヤ部に対応した図２（ｄ）に示すような絵図が表示され、また、記録側ソースとしてＭＤ録再部が選択されて、液晶表示部２６の右半部には、ＭＤ録再部に対応した図２（ｂ）に示すような絵図が表示される。そして、ＣＤプレーヤ部からＭＤ録再部に録音中は、液晶表示部では、ＣＤ及びＭＤの絵図は、共に、それぞれ図５及び図４の動画表現で表示変化し、ディスクが回転しているように映る。そして、この記録はＯ．Ｔ．Ｅ．であるため、ＣＤ及びＭＤの絵図の動画表現の表示変化に同期を付けている。すなわち、ＣＤ及びＭＤの動画表現の表示変化は、それぞれ図５及び図６のこまの流れに従うとともに、図５及び図６における左からの順番が同一のこま同士が同時に液晶表示部２６に表示されるようになっており、これにより、ＣＤの回転角度を表す白抜き部とＭＤの回転角度を表す白抜き部との回転角度は相互に等しくされる。なお、図９において、上端部の文字及び数値「ＣＤ  ０１  １：５６」は、ＣＤのトラック１が再生されていて、再生時間は該トラック１の再生開始から１分５６秒経過したことの情報を示しており、また、下端部の数値「００９  ７２：４７Ｒ」は、ＭＤにおけるオーディオの記録はトラック９番になされ、かつ記録可能な残り時間があと７２分４７秒であることを示している。
【００６０】
なお、Ｏ．Ｔ．Ｅ．による記録でなく、ユーザが再生側オーディオソースとしてのＣＤプレーヤ部を、また、記録側オーディオソースとしてＭＤ録再部を順次選択して、オーディオ装置本体１０の録音キー１７やリモコンの録音キー（図示せず）を操作して、ＣＤからＭＤへの録音を実施するときのＣＤ及びＭＤの絵図の表現は、図９の表現から前述の同期表現が含まれない以外は同一である。すなわち、録音キー１７操作等による録音では、ユーザのキーの操作により、まず、出力側ソースとしてＣＤプレーヤ部が選択されて、液晶表示部２６の左半部には、ＣＤプレーヤ部に対応した図２（ｃ）に示すような絵図が表示され、次に、記録側ソースとしてＭＤ録再部が選択されて、液晶表示部２６の右半部には、ＭＤ録再部に対応した図２（ｂ）に示すような絵図が表示される。そして、ＣＤプレーヤ部からＭＤ録再部に録音中は、ＣＤ及びＭＤの絵図の白抜き部は、相互に同一回転角になることなく、相違した回転角を維持する。
【００６１】
また、ユーザは、ＣＤからＭＤへのダビングでは、通常速と２倍速との２通りの記録速度を選択でき、２倍速を選択した場合は、記録時間が通常速の記録時間の半分で済む。２倍速による記録におけるＣＤ及びＭＤの絵図におけるディスク回転速度（この回転速度は、白抜き部の回転速度（表示の変化速度）からユーザに理解される。）は、通常速による記録におけるＣＤ及びＭＤの絵図におけるディスク回転速度（表示の変化速度）の２倍となる。こうして、ユーザは、液晶表示部２６におけるＣＤ及びＭＤの絵図におけるディスク回転速度から今回の記録が通常速で行われているか、２倍速で行われているかを知ることができる。なお、Ｏ．Ｔ．Ｅ．による倍速記録及び通常速度では、倍速及び通常速に対応する回転速度でＣＤ及びＭＤの絵図が回転（表示変化）するだけでなく、前述したように、回転位相を示す白抜き部の回転位置が相互に等しくなるように、回転の動画表現の変化に同期を付けられている。
【００６２】
このように、 録再装置は、情報を出力するソースＡと、ソースＡから出力された情報を記録可能なソースＢとを備えている場合において、ユーザが出力側ソースとしてソースＡを選択すると、液晶表示部２６の左半部にはソースＡに対応した絵図Ａが表示され、また記録側ソースとしてあるソースＢを選択すると、液晶表示部２６の右半部にはソースＢに対応した絵図Ｂが表示されるようになっている。この例では、出力側ソース、記録側ソースの種類にかかわらず、ユーザが出力側ソースを選択すると、出力側ソースに対応した絵図は液晶表示部２６の左半部に表示され、記録側ソースを選択すると、記録側ソースに対応した絵図は液晶表示部２６の右半部を含んだ位置に必ず表示されるようになっており、柔軟性に富んだ絵図の表現が可能となっている。すなわち、少なくとも液晶表示部２６は、その左半部及び右半部に第１の表示点及び第２の表示点をそれぞれ含み、ユーザが出力側ソースを選択すると、出力側ソースに対応した絵図はこの第１の表示点を含んだ位置に表示され、記録側ソースを選択すると、記録側ソースに対応した絵図はこの第２の表示点を含んだ位置に表示されるようになっている。そして、ソースＡ（出力側ソース）からソースＢ（記録側ソース）に録音中は、液晶表示部２６にそれぞれ表示された絵図Ａ、Ｂは、その表示位置で、出力、記録状況に応じて動画表現で変化するようになっている（上述の例では、チューナに対応した絵図については表示変化せず、少なくとも液晶表示部２６に表示されソースＢ（記録側ソース）に対応した絵図は、録音中は、その表示位置で、記録状況に応じて動画表現で変化する。）。
【００６３】
ＭＤへの記録にはＡＴＲＡＣが使用されるが、ＡＴＲＡＣには、データ圧縮率の相違により標準（等倍）としてのＡＴＲＡＣ  Ｓｔｅｒｅｏ及びＡＴＲＡＣ  Ｍｏｎｏと、標準に対して２倍のデータ圧縮率としてのＡＴＲＡＣ３  ＬＰ２  Ｓｔｅｒｅｏと、４倍のデータ圧縮率としてのＡＴＲＡＣ３  ＬＰ４  Ｓｔｅｒｅｏとが存在する。ＭＤへのオーディオの記録において、ユーザが液晶表示部２６の表示からデータ圧縮率を直感的に認識できるようにするために、液晶表示部２６の記録側（＝例では液晶表示部２６の右側）に表示されるＭＤの絵図の大きさをデータ圧縮率に対応させたものにするのが適切である。図１０はオーディオをＣＤからＭＤへ標準のＡＴＲＡＣでダビングしているときの液晶表示部２６における表示変化を示している。図１０及び後述の図１１及び図１２において、破線で区切られている各段は、同一時刻における液晶表示部２６の表示状態を示し、矢印は時間変化を示している。各段において左右には、今回のダビングにおいてそれぞれ出力ソース（左側）及び記録ソース（右側）として選択されているＣＤ及びＭＤの絵図が表示されている。図１０の場合のように、ＭＤにおけるデータ圧縮率が標準であるときは、ＭＤの絵図の外形寸法は、ＣＤの絵図の外形寸法と同一（以下、「標準寸法Ｌｓ」と言う。）とされる。図では、ＣＤ及びＭＤ共に８個のこまを１サイクルとして繰り返し、前述した図４及び図５のようにディスクが時計方向に回転しているように映すようになっているが、１サイクルのこま数は８以外に任意に設定できる。
【００６４】
図１１はオーディオをＣＤからＭＤへ標準より大きいデータ圧縮率のＡＴＲＡＣでダビングしているときの液晶表示部２６における表示変化を示している。ＭＤにおけるデータ圧縮率が標準より大であるときは、ＭＤの絵図の外形寸法は標準寸法Ｌｓより小さい寸法（以下、「小寸法Ｌｌ」と言う。）とされて、液晶表示部２６に表示される。ユーザは、小寸法ＬｌのＭＤの絵図を液晶表示部２６に見ることにより、ＭＤへの現在の記録が標準より大きいデータ圧縮率のＡＴＲＡＣで行われていることを知る。
【００６５】
図１２はオーディオをＣＤからＭＤへ標準より大きいデータ圧縮率のＡＴＲＡＣでダビングしているときの液晶表示部２６における表示変化の第２の例を示している。図１１では、ＭＤの絵図の外形寸法は、オーディオ記録中、所定の小寸法Ｌｌに維持されているが、図１２におけるＭＤの寸法は標準寸法Ｌｓと小寸法Ｌｌとを交互に繰り返すようになっている。小寸法Ｌｌの絵図は少し遠くからは見難いこともあるので、標準寸法Ｌｓの絵図と交互に表示して、ユーザには、ＭＤの標準寸法Ｌｓの絵図と、ＭＤとは明確には分からないがなにかしら小さい絵図とが交互に繰り返されて表示していることが認識され、これにより、ユーザは、ＭＤへの今回の記録が標準より大きいデータ圧縮率で行われていることを理解する。
【００６６】
なお、データ圧縮率の寸法について、標準寸法Ｌｓと、小寸法Ｌｌとの２個を設定し、記録が標準のデータ圧縮率で行われている場合には、標準寸法Ｌｓの外形寸法を有する絵図を表示し、標準とは別のデータ圧縮率で記録が行われている場合には、一律に小寸法Ｌｌの外形寸法を有する絵図を表示する寸法切換式でもよいが、ＡＴＲＡＣ３  ＬＰ４の方がＡＴＲＡＣ３  ＬＰ２よりデータ圧縮率が大であるので、データ圧縮率が異なれば、絵図の外形寸法も必ず相違させることにし、ＡＴＲＡＣ３  ＬＰ４を示す絵図の外形寸法はＡＴＲＡＣ３  ＬＰ２を示す絵図の外形寸法より小寸法のものとするのもよい。
【００６７】
図１１及び図１２では、ＭＤの絵図の外形寸法の相違によりＭＤへの記録の際のデータ圧縮率の識別を表示させるようになっているが、ＭＤからのオーディオの再生中に、どのデータ圧縮率で記録されたオーディオについての再生であるかをユーザへ知らせるために、ＭＤについてのオーディオ再生中に液晶表示部２６に表示するＭＤの絵図の外形寸法についても、再生側のオーディオのデータ圧縮率に応じて、液晶表示部２６のＭＤの絵図の外形寸法を切換えるようにすることもできる。すなわち、図１３はそれぞれ異なるデータ圧縮率でオーディオを記録されているＭＤを再生したときに液晶表示部２６におけるＭＤの表示変化を示している。図１３（ａ）の縦系列はＭＤにおけるデータ圧縮率が標準である場合の再生時の表示変化であり、図４の表示変化と同様であり、絵図は標準寸法Ｌｓを維持している。これに対して、図１３（ｂ）及び（ｃ）の縦系列はそれぞれＭＤにおけるデータ圧縮率が標準より大きい場合の再生時の表示変化であり、図１１及び図１２でＭＤが記録ソースとして選択されたときの表示変化と同様であり、絵図は、図１３（ｂ）では小寸法Ｌｌに維持され、図１３（ｃ）では標準寸法Ｌｓと小寸法Ｌｌとを交互に繰り返されている。こうして、ユーザは、ＭＤを再生しているときに、現在の再生オーディオが該ＭＤにどのデータ圧縮率で記録されているものの再生かを知ることができる。
【００６８】
図１４はＣＤのオーディオをＣＤ−Ｒに記録しているときの液晶表示部２６における表示変化を示している。図１０の場合と同様に、破線で区切られている各段は、同一時刻における液晶表示部２６の表示状態を示し、矢印は時間変化を示している。各段において左右には、今回のダビングにおいてそれぞれ出力ソース及び記録ソースとして選択されているＣＤ及びＣＤ−Ｒの絵図が表示されている。図１４では、ＣＤとＣＤ−Ｒの絵図は同一であるが、ＣＤとＣＤ−Ｒとを識別できるように、それぞれに対して別の絵図を設定してもよい。また、このオーディオ装置本体１０はＣＤプレーヤを１基しか装備していないが、ＣＤからＣＤ−Ｒへのオーディオの記録を実現するためには、ＣＤ−Ｒドライブが装備される必要がある。さらに、オーディオ装置本体１０のＣＤプレーヤはＣＤ−Ｒドライブを兼ねるものになっていれば、適宜、チューナやカセットテープからＣＤ−Ｒへのオーディオの記録が可能になる。
【００６９】
ＡＴＲＡＣ  Ｓｔｅｒｅｏ、ＡＴＲＡＣ  Ｍｏｎｏ、ＡＴＲＡＣ３  ＬＰ２  Ｓｔｅｒｅｏ、及びＡＴＲＡＣ３  ＬＰ４  Ｓｔｅｒｅｏによりオーディオを記録されたＭＤを再生する場合に、現在再生中のオーディオがどの記録モードにより該ＭＤに記録されたものなのかを示すために、再生時間、再生残り時間、全体の再生時間、及び全体の再生残り時間の分と秒とを区切る記号を記録モードに対応付けることが行われる。例えば、ＡＴＲＡＣ  Ｓｔｅｒｅｏでは”：”、ＡＴＲＡＣ  Ｍｏｎｏでは”・”、ＡＴＲＡＣ３  ＬＰ２  Ｓｔｅｒｅｏでは”−”、及びＡＴＲＡＣ３  ＬＰ４  Ｓｔｅｒｅｏでは”＝”を区切り記号として採用する。再生関連時間が例えば１分２３秒である場合、再生トラックがＡＴＲＡＣ  Ｓｔｅｒｅｏの記録に係るものであるときは、”１：２３”となり、ＡＴＲＡＣ  Ｍｏｎｏの記録に係るものであるときは、”１・２３”となり、ＡＴＲＡＣ３  ＬＰ２  Ｓｔｅｒｅｏの記録に係るものであるときは”１−２３”となり、ＡＴＲＡＣ３  ＬＰ４  Ｓｔｅｒｅｏの記録に係るものであるときは、”１＝２３”となる。一般のオーディオプレーヤでは、ＭＤの再生中、再生中のトラックについての再生開始からの経過時間が再生時間として表示するようになっているので、記録モードの情報を再生時間の分と秒との区切り付けの記号により表すことにより、新たに該情報の表示スペースを追加するのを省略して、表示面積を低減できる。
【００７０】
図１５は各記録モードに対応付けられたＭＤの絵図である。（ａ）はＡＴＲＡＣ  Ｓｔｅｒｅｏ、（ｂ）はＡＴＲＡＣ  Ｍｏｎｏ、（ｃ）はＡＴＲＡＣ３  ＬＰ２  Ｓｔｅｒｅｏ、及び（ｄ）はＡＴＲＡＣ３  ＬＰ４  Ｓｔｅｒｅｏにそれぞれ対応付けられている。これら（ａ）〜（ｄ）は、静止画形態でなく、図４のように、再生中、これら（ａ）〜（ｄ）を基礎としてパターンを時計方向へ回転させる動画形態で表示することもできる。これら（ａ）〜（ｄ）は、ＭＤを再生するときに、再生中のトラックがどの記録モードにより記録されたものかに応じて対応の絵図が液晶表示部２６に表示される外、オーディオトラックをコピーする場合にＭＤを出力ソース及び記録ソースとして選択したときに、出力ソース及び記録モードに対応付けたものとしても液晶表示部２６に表示される。
【００７１】
図１６はＡＴＲＡＣ３  ＬＰ２  Ｓｔｅｒｅｏに対応付けられたＭＤの動画形態のこまである。計９個のこま（動画表示の際に一定間隔で順番に表示される静止画）が用意され、これらこまは、ＭＤの再生中でかつ再生中のトラックの記録モードがＡＴＲＡＣ３  ＬＰ２  Ｓｔｅｒｅｏで記録したものであるとき、矢印方向へサイクリックに順番に液晶表示部２６に表示される。図１６〜図１８においてはディスクが周方向へ１６等分割されている。図１６において、左上のこまは、動画サイクルの最初のこまとして設定され、モノクロ型の液晶表示部２６では、右半部の８個の分割部分は黒色で塗り潰され、左半部の８個の分割部分は白色で表示される。動画サイクルでは、黒色で塗り潰された分割部分が、時計方向へ１個ずつ増大し、全部の分割部分が黒色になると（図１６の左下のこま）、１サイクルが終了する。なお、ＡＴＲＡＣ３  ＬＰ２  Ｓｔｅｒｅｏで再生中に、一時停止（ポーズ）操作が行われると、その一時停止期間では、停止状態と指示されている図１６の左上のこまが継続的に表示される。
【００７２】
図１７はＡＴＲＡＣ３  ＬＰ４  Ｓｔｅｒｅｏに対応付けられたＭＤの動画形態のこまである。計１３個のこまが用意され、これらこまは、ＭＤの再生中でかつ再生中のトラックの記録モードがＡＴＲＡＣ３  ＬＰ４  Ｓｔｅｒｅｏで記録したものであるとき、矢印方向へサイクリックに順番に液晶表示部２６に表示される。図１７において、左上のこまは、動画サイクルの最初のこまとして設定され、モノクロ型の液晶表示部２６では、図１７の上方向から右方向までの９０°の範囲の４個の分割部分は黒色で塗り潰され、他の分割部分は白色となっている。動画サイクルでは、黒色で塗り潰された分割部分が、時計方向へ１個ずつ増大し、全部の分割部分が黒色になると、１サイクルが終了する。なお、ＡＴＲＡＣ３  ＬＰ４  Ｓｔｅｒｅｏで再生中に、一時停止（ポーズ）操作が行われると、その一時停止期間では、停止状態と指示されている図１７の左上のこまが継続的に表示される。
【００７３】
図１８はＡＴＲＡＣ  Ｓｔｅｒｅｏ及びＡＴＲＡＣ  Ｍｏｎｏに対応付けられたＭＤの絵図である。図１８（ａ）及び（ｂ）がそれぞれＡＴＲＡＣ  Ｓｔｅｒｅｏ及びＡＴＲＡＣ  Ｍｏｎｏに対応している。ＡＴＲＡＣ  Ｓｔｅｒｅｏの絵図では、十字方向の分割部分が白色となっており、他の分割部分は黒色で塗り潰されている。これに対して、ＡＴＲＡＣ  Ｍｏｎｏの絵図では、ＡＴＲＡＣ  Ｓｔｅｒｅｏの絵図とは白黒反転の関係にあり、十字方向の分割部分が黒色で塗り潰され、他の分割部分は白色となっている。なお、該十字を構成している分割部分は、固定的なものとしてもよいが、通常は、時間経過に伴い、順次、時計方向へ１個の分割部分ずつ移動するようにして、十字が回転するような動画表現とされる。
【００７４】
図１６〜図１８の絵図は、ＭＤを再生するときに、再生中のトラックがどの記録モードにより記録されたものかに応じて対応の絵図が液晶表示部２６に表示される外、オーディオトラックをコピーする場合にＭＤを出力ソース及び記録ソースとして選択したときに、記録モード情報付きＭＤに対応付けたものとしても液晶表示部２６に表示される。
【図面の簡単な説明】
【図１】オーディオ装置本体の正面図である。
【図２】オーディオ装置本体においてユーザが複数個のオーディオソースの中から出力ソース又は記録ソースを選択して該選択ソースに係るオーディオ機器に対応させて液晶表示部に表示する絵図を示している。
【図３】録音で作動しているときの一連のこまを表示順に左から右へ並べて示す図である。
【図４】録音しているときの一連のこまを表示順に左から右へ並べて示す図である。
【図５】ＣＤプレーヤ部が選択されてＣＤを再生しているときの一連のこまを表示順に左から右へ並べて示す図である。
【図６】チューナ部に関する絵図を示す図である。
【図７】再生ソースとしてＣＤプレーヤ部が選択されていて、一時休止（ポーズ）されているときに液晶表示部に表示される絵図を示す図である。
【図８】ラジオ放送をＭＤへ録音する場合の液晶表示部の表示内容を示す図である。
【図９】ＣＤの楽曲をＭＤへ録音しているときの液晶表示部の表示内容を示す図である。
【図１０】オーディオをＣＤからＭＤへ標準のＡＴＲＡＣでダビングしているときの液晶表示部における表示変化を示す図である。
【図１１】オーディオをＣＤからＭＤへ標準より大きいデータ圧縮率のＡＴＲＡＣでダビングしているときの液晶表示部における表示変化を示す図である。
【図１２】オーディオをＣＤからＭＤへ標準より大きいデータ圧縮率のＡＴＲＡＣでダビングしているときの液晶表示部における表示変化の第２の例を示す図である。
【図１３】それぞれ異なるデータ圧縮率でオーディオを記録されているＭＤを再生したときに液晶表示部におけるＭＤの表示変化を示している。
【図１４】ＣＤのオーディオをＣＤ−Ｒに記録しているときの液晶表示部における表示変化を示す図である。
【図１５】各記録モードに対応付けられたＭＤの絵図である。
【図１６】ＡＴＲＡＣ３  ＬＰ２  Ｓｔｅｒｅｏに対応付けられたＭＤの動画形態のこまである。
【図１７】ＡＴＲＡＣ３  ＬＰ４  Ｓｔｅｒｅｏに対応付けられたＭＤの動画形態のこまである。
【図１８】ＡＴＲＡＣ  Ｓｔｅｒｅｏ及びＡＴＲＡＣ  Ｍｏｎｏに対応付けられたＭＤの絵図である。
【符号の説明】
１０    オーディオ装置本体（録再装置）
２６    液晶表示部（ディスプレイ）
【図１】
0003731087.tif 000002
【図２】
0003731087.tif 000003
【図３】
0003731087.tif 000004
【図４】
0003731087.tif 000005
【図５】
0003731087.tif 000006
【図６】
0003731087.tif 000007
【図７】
0003731087.tif 000008
【図８】
0003731087.tif 000009
【図９】
0003731087.tif 000010
【図１０】
0003731087.tif 000011
【図１１】
0003731087.tif 000012
【図１２】
0003731087.tif 000013
【図１３】
0003731087.tif 000014
【図１４】
0003731087.tif 000015
【図１５】
0003731087.tif 000016
【図１６】
0003731087.tif 000017
【図１７】
0003731087.tif 000018
【図１８】
0003731087.tif 000019